(57)【要約】【課題】容器本体の開口部がゴム栓で封口された医療用容器ならびに医療用容器本体の開口部に装着され、その外表面を覆ってキャップが装着されたゴム栓において、ゴム栓にルアを挿入することが可能で、且つ密封性の優れたものを提供する。【解決手段】  凹部２４は、スリット２３を挟んでその両側に形成され、且つ、スリット２３をまたぐ内側壁４３ａ間の距離Ｗ2と比べて、凸部４３の内側壁４３ａ間の距離Ｗ1は若干短く設定されている。凸部４３が凹部２４に填まり込んだときに、スリット２３が閉塞する方向に中央部分２１ａが締め付けられる。【選択図】    図３
2005074103.tif 000002
【特許請求の範囲】
【請求項１】
容器本体の開口部にゴム栓が装着され、
前記ゴム栓にはその外表面を覆ってキャップが被着された医療用容器であって、
前記ゴム栓には、
外表面から内表面にまたがってスリットが形成され、
前記キャップと前記ゴム栓との互いに対向する各面には、
当該キャップがゴム栓に被着される動作に伴って前記ゴム栓の外表面における前記スリット近傍領域を、前記スリットが閉じる方向に圧搾する係合部が形成されていることを特徴とする医療用容器。
【請求項２】
前記ゴム栓の前記キャップに対向する面には、
前記スリットを挟んで凹部が設けられ、
前記キャップの前記ゴム栓に対向する面には、前記凹部に嵌まり込む凸部が設けられ、
前記凸部が前記凹部に嵌り込んだときに、当該凸部の側面が前記凹部のスリット側内面を押圧するように形成されていることを特徴とする請求項１記載の医療用容器。
【請求項３】
前記凸部は、
前記凹部に嵌リ込む深さが大きくなるにつれて、その側面が前記凹部のスリット側内面を押圧する量が大きくなるよう形状が規定されていることを特徴とする請求項２記載の医療用容器。
【請求項４】
前記凹部は環状の溝であり、前記凸部は環状のリブであって、
前記凸部の内径は、前記凹部の内径より小さいことを特徴とする請求項２記載の医療用容器。
【請求項５】
前記ゴム栓の前記キャップに対向する面には、
前記スリットを挟んで、
中央側よりも外周側の方が低い段差部が設けられ、
前記キャップの前記ゴム栓に対向する面には、前記段差部に対応して、中央側よりも外周側の方が低い段差部が設けられていることを特徴とする請求項１記載の医療用容器。
【請求項６】
医療用容器本体の開口部に装着され、その外表面を覆ってキャップが装着されたゴム栓であって、
外表面から内表面にまたがってスリットが形成され、
前記キャップと前記ゴム栓とが互いに対向する各面には、
当該キャップがゴム栓に被着される動作に伴って前記ゴム栓の外表面における前記スリット近傍領域を、前記スリットが閉じる方向に圧搾する係合部が形成されていることを特徴とする医療用ゴム栓。
【発明の詳細な説明】
【技術分野】
【０００１】
本発明は、医薬品を保存するバイアルをはじめとする医療用容器に関し、特に容器本体の開口部を密封する医療用ゴム栓に関する。
【背景技術】
【０００２】
医薬品用の容器として、バイアル、バッグ、ボトルが広く用いられている。
これら医薬品用容器は、容器本体に薬液や凍結真空乾燥用製剤を充填し、その口部は、医療用ゴム栓で封口され、更にゴム栓がキャップで固定されて封止されているものが多く、この場合、容器中の薬液を使用する際には、医療用ゴム栓の穿刺部に、薬液注入用の注射針を穿刺することによって、シリンジ内に採取して使用することができる。
【０００３】
ところで、医薬品用容器内の薬液を、鋭利な針を用いることなくシリンジに採取することも望まれており、医療用ゴム栓において、鋭利な針を用いることなく注入・採取ができるように、シリンジのルアーを挿入できるようになっているものも開発されている。
例えば、特許文献１〜３には、ゴム栓の外表面と内表面とにまたがってスリットを形成しておいてシリンジのルアーを挿入することができるようになっているものが記載されている。
【０００４】
このようにゴム栓にスリットを設けた医療用容器においては、基本的にスリットにルアーを挿入する前は、容器の口やリングでゴム栓が押圧されてスリットが閉じているが、ルアーを挿入したときだけスリットが開口するようになっている。
また、このような医療用容器において、スリット付ゴム栓に対して、スリットを覆って密封キャップや密封シールが被着されているものも多く、またゴム栓の外周面をリングで締め付けてスリットのシール性を高めているものもある。
【特許文献１】特開２００１−１２９０５５号公報
【特許文献２】特開２００２−７００号公報
【特許文献３】特開２００２−１２６０４０号公報
【発明の開示】
【発明が解決しようとする課題】
【０００５】
しかしながら、スリットを形成したゴム栓で容器本体の開口部を封口した医療用容器において、上記のようにゴム栓のスリットをキャップやシールで覆ったり、外周をリングで締め付けても、スリットの密閉性が十分得られずに、水蒸気などがスリットを通過して容器内に侵入するといった問題があり、その密閉性を向上させる技術が望まれている。
本発明は、上記課題を鑑み、容器本体の開口部がゴム栓で封口された医療用容器ならびに医療用容器本体の開口部に装着され、その外表面を覆ってキャップが装着されたゴム栓において、ゴム栓にルアーを挿入することが可能で、且つ密封性の優れたもの提供することを目的とする。
【課題を解決するための手段】
【０００６】
上記目的を達成するため、本発明では、医療用容器ならびにゴム栓において、ゴム栓には、外表面から内表面にまたがってスリットを形成し、キャップとゴム栓とが互いに対向する各対向面には、当該キャップがゴム栓に被着される動作に伴ってゴム栓の外表面におけるスリット近傍領域を、スリットが閉じる方向に圧搾する係合部を形成することとした。
【０００７】
このような係合部を形成する形態としては、ゴム栓のキャップに対向する面には、スリットを挟んで凹部を設け、キャップのゴム栓に対向する面には、この凹部に嵌り込む凸部を設け、凸部が凹部に填まり込む動作に伴って、凸部の側面が凹部のスリット側内面を押圧するように形成することが好ましい。
あるいは、ゴム栓のキャップに対向する面には、スリットを挟んで、中央側よりも外周側の方が低い段差部を設け、キャップのゴム栓に対向する面には、上記段差部に対応して、中央側よりも外周側の方が低い段差部を設けてもよい。
【発明の効果】
【０００８】
上記本発明の医療用容器並びに医療用ゴム栓においては、ゴム栓の外表面を覆ってキャップが被着され、そのキャップがゴム栓に装着される動作に伴って、当該キャップのゴム栓に接する表面が、ゴム栓におけるスリット近傍領域をスリットが閉塞する方向に挟持するので、スリットの密閉性が向上する。
ここで、「スリット近傍領域」とは、ゴム栓の外周よりも中央寄りの領域を指す。
【０００９】
このように、本発明では、ゴム栓の外周をリングなどで圧搾する場合と比べて、スリットに近い場所を圧搾するので、キャップがゴム栓を圧搾する力がスリットを閉塞するのに効率よく利用される。
【発明を実施するための最良の形態】
【００１０】
〔実施の形態１〕
図１は、実施の形態１に係る医療用容器１の斜視図であり、図２は、医療用容器１に用いられる密封キャップの斜視図である。
この医療用容器１は、薬剤が充填されたバイアルであって、容器本体１０の開口部１１にゴム栓２０が装着され、このゴム栓２０を覆って、ゴム栓２０を開口部１１に固定する固定キャップ３０が冠着され、更にこの固定キャップ３０上に密封キャップ４０が冠着されて構成されている。
【００１１】
容器本体１０は、中に医薬品が充填される容器であって、ガラスあるいはプラスチックなどの材料で成形されている。
容器本体１０の開口縁部１２は、外に広がっている部分、すなわちフランジ部１２ａを有している。
ゴム栓２０は、開口縁部１２上に載置され開口部１１を塞ぐ天面部２１と、開口部１１に挿入される脚部２２とからなる。
【００１２】
ゴム栓２０の材質としては、弾性を有し、圧縮成形などによって成形可能な樹脂を用いる。
具体的なゴム材料としては、イソプレン共重合体、ブチルゴム、シリコーンゴム、ブタジエンゴム、スチレン−ブタジエン共重合体、エチレン−プロピレン共重合体、エチレン−プロピレン−第三成分共重合体、天然ゴム、ウレタンゴム、熱可塑性エラストマー（例えば、エポキシ化スチレン−共役ジエンブロック共重合体、カルボキシル化スチレン−共役ジエンブロック共重合体、水酸基含有スチレン−共役ジエンブロック共重合体）を用いることができる。
【００１３】
ゴム材料には、架橋促進剤を混合してもよい。
また、これらのゴム材料に、焼成クレー、シリカ、金属酸化物、カーボンブラックなどの無機充填剤、あるいはオイルなどを適宜配合してもよい。
天面部２１は開口部１１の内径よりも大径（開口縁部１２と同程度の径を有する）の円板状であって、脚部２２はこの天面部２１から下面側に突出する略円筒状であって、装着時にはその外周面が開口部１１の内面と接触する。
【００１４】
この天面部２１において、脚部２２が形成されている部分より内側の中央部分２１ａが、外部から挿入体が挿入される部分であり、脚部２２が形成されている部分より外側の外周部２１ｂが、開口縁部１２の上縁面１２ｂに接する部分である。
そして、上記スリット２３は、この中央部分２１ａに形成されている。
このスリット２３は、中央部分２１ａの上面から下面にわたって切り込まれている。
【００１５】
このスリット２３において、ブロッキングを防止するために、ブロッキング防止剤を挿入することが好ましい。ブロッキング防止剤としては、スリット２３内に塗布しやすい液状のもの、特にシリコーンが適している。
なお、スリット２３の形状は、図１に示すように一本の直線状であっても良いが、中心から３方あるいは４方以上に放射状に直線が広がる形状であっても良い。また、ゴム栓２０の中央部分２１ａに設けるスリット２３の数は、必ずしも１つとは限らず、複数であってもよい。
【００１６】
天面部２１の上面（すなわち密封キャップ４０と対向する面）には、スリット２３の周囲に凹部２４が形成されている。この凹部２４は、密封キャップ４０の凸部４３が填まり込むものであって、その内側壁２４ａは、中央側よりも外周側の方が低い段差部となっている。
固定キャップ３０は、ゴム栓２０を覆うように装着され、ゴム栓２０を容器本体１０の開口部１１に固定している。
【００１７】
この固定キャップ３０は、ゴム栓２０の上面外周部を覆う円環状の天板部３１と、天面部２１の外周面及び開口縁部１２の外周面を覆う円筒状の側板部３２とからなり、金属板（例えばアルミニウム板）あるいは樹脂を成型することによって作製できる。
また、固定キャップ３０において、側板部３２の下端縁部３２ａが、フランジ部１２ａの下側面に係合されているので、ゴム栓２０の外周部２１ｂと容器本体１０の開口縁部１２とは、固定キャップ３０によって常に圧着され、シールされた状態となっている。
【００１８】
また、固定キャップ３０の天板部３１は中央部分が開口しているので、この開口部分で密封キャップ４０がゴム栓２０の上面に直接接触する。
密封キャップ４０は、天板部３１と同等の大きさを持つ円板状の天板部４１と、当該天板部４１の外縁から延びる円筒状の側板部４２とからなる。
密封キャップ４０は、固定キャップ３０に容易に冠着でき且つはずれにくいように、側板部４２の内径が側板部３２の外径とほぼ同等に設定されている。
【００１９】
また密封キャップ４０は、固定キャップ３０に冠着されたときに、天板部４１が天板部３１の上面を覆い、側板部４２が側板部３２の外周面の上部を覆うように形成されている。
そして、天板部４１の下面（ゴム栓２０と対向する面）の中央部には、上記凹部２４に填まり込む凸部４３が形成されており、当該凸部４３の内側壁４３ａは、外周側よりも中央側の方が低い段差部となっている。
【００２０】
密封キャップ４０の材料は、凸部４３が中央部分２１ａをしっかり挟持できるように適度な剛性を有するものであって、また冠着しやすいように若干の弾力性があるものが望ましい。また、水蒸気並びに酸素や二酸化炭素に対して非透過性の材料を用いることが好ましく、樹脂を用いれば、密封キャップ４０を射出成型で作製できる点で好ましい。密封キャップ４０を形成するのに好ましい樹脂としては、ポリプロピレン、ポリエチレン、ポリカーボネートが挙げられる。
【００２１】
密封キャップ４０が被着されていない場合には、ゴム栓２０を構成する材質によっては、水蒸気が天面部２１を透過したり、水蒸気がスリット２３を経由して容器本体１０内に侵入することもあるが、密封キャップ４０が固定キャップ３０に冠着された状態では、天板部４１が天面部２１の上面を被覆し、且つ側板部４２が固定キャップ３０の側板部３２に密着するので、水蒸気やガスが密封キャップ４０の周囲から、密封キャップ４０と天面部２１との間に入り込むのが抑えられる。従って、水蒸気やガスが天面部２１を透過したりスリット２３を経由して容器本体１０内に侵入しにくい。
【００２２】
（ゴム栓２０及び密封キャップ４０の対向面に形成された係合部）
密封キャップ４０をゴム栓２０上に装着する動作に伴って、ゴム栓２０に形成された凹部２４及び密封キャップ４０に形成された凸部４３が係合して、スリット２３が閉塞する方向に押圧される機構について説明する。
図３は、医療用容器１をスリット２３に直交する方向に切断した断面図である。
【００２３】
図３に示すように、凹部２４は、少なくともスリット２３を挟んでその両側に形成され、且つ、スリット２３をまたぐ内側壁４３ａ間の距離Ｗ2と比べて、凸部４３の内側壁４３ａ間の距離Ｗ1は若干短く設定されている。
これにより、密封キャップ４０をゴム栓２０上に装着する動作に伴って凸部４３が凹部２４に填まり込むと共に凸部４３が中央部分２１ａを締め付けて、スリット２３が閉塞する方向に押圧される。
【００２４】
図４は、密封キャップ４０がゴム栓２０上に被着されたときに、スリット２３が閉塞する方向に凸部４３が中央部分２１ａを押圧する様子を示す図である。図中白抜き矢印で示すように、凸部４３の内側壁（段差部）４３ａが凹部２４の内側壁（段差部）２４ａを押し、中央部分２１ａにおける凹部２４よりも内側部分を内方に締め付ける。これによって、スリット２３のシール性が向上する。
【００２５】
容器の開口部がスリット付のゴム栓で封口されている場合、スリットを覆うように密封キャップや密封シールが装着されていても、スリット自体のシール性が十分でないと、水蒸気などがスリットを通過して容器内に侵入しやすいが、上記のようにスリット２３のシール性が向上すると、水蒸気などが容器内部に侵入しにくい。
凸部４３の突出量（すなわち凸部４３が天板部４１の下面から突出する量）としては、０．５ｍｍ〜３ｍｍが好ましい。距離Ｗ1は距離Ｗ2よりも０．２〜２ｍｍ程度短く設定するのが好ましい。
【００２６】
また、凸部４３の内側壁４３ａは、天板部４１に対して垂直に形成するよりも傾斜させることが好ましい。これは、内側壁４３ａを傾斜させれば、凸部４３が凹部２４に嵌り込む深さが大きくなるにつれて、凸部４３の内側壁４３ａが内側壁４３ａを押圧する力が大きくなるからである。
また、凸部４３の幅（リブ幅）は、凹部２４の幅（溝幅）よりも広く設定することも好ましい。
【００２７】
この場合、凸部４３と凹部２４の密着が強くなり、医薬品の密封性が向上する。
なお、凸部４３の形状は、凹部２４と同様の形状にしてもよいが、凹部２４に入り込むことができれば、必ずしも凹部２４と同様の形状でなくてもよい。
凹部２４及び凸部４３の形状について、以下に具体例をいくつか挙げて説明する。
上記図１、２に示される凹部２４は円環状の溝、凸部４３は円環状のリブであって、凹部２４と天面部２１とは同心円である。そして、凸部４３の内径（内側壁４３ａの径）が凹部２４の内径（内側壁２４ａの径）より若干小さく設定されている。
【００２８】
この場合、密封キャップ４０をゴム栓２０に装着する際に、凸部４３と凹部２４とを位置合わせしなくても、凸部４３が凹部２４に填まり込む。
そして、凸部４３が凹部２４に嵌り込むと、凸部４３の内側壁４３ａが凹部２４の内側壁２４ａを押圧し、中央部分２１ａにおける内側壁２４ａより中側が締め付けられる。従って、スリット２３が密閉される方向に押圧される（スリット２３の内面どうしが圧着される）。
【００２９】
このように、本実施形態によれば、上記凸部４３がゴム栓の表面部を挟持してスリットの近傍から締め付けるので、スリット２３の気密性が優れたものとなる。すなわち、ゴム栓の外周面をリングなどで押圧する場合は、外周面からスリットまで距離があるのため、ゴム栓に加えた力がスリット部分には十分に伝わりが、本実施形態によれば、凸部４３がゴム栓の表面部を挟持してスリット２３の近傍から締め付けるので、この力がスリット２３の内面どうしを押し付けるのに有効利用される。
図５（ａ），（ｂ）に示す例では、ゴム栓２０において、凹部２４は1対の短冊状の溝形状であって、スリット２３を挟むように対向配置され、密封キャップ４０においてもこの凹部２４に対応して１対の短冊状のリブかなる凸部４３が対向配置されている。そして１対の凸部４３どうしの間隙は、１対の凹部２４どうしの間隙よりも若干小さく設定されている。
【００３０】
この場合、密封キャップ４０をゴム栓２０に装着する際に、凸部４３と凹部２４との位置を合わせながら凸部４３を凹部２４に嵌め込む。そして、凸部４３が凹部２４に嵌り込むと、凸部４３の内側壁が凹部２４の内側壁を挟み込んで、スリット２３を密閉する方向に押圧する。
なお、凹部２４は、図１に示すように環状の溝とし、一方凸部４３は図５（ａ）に示すよう短冊状のリブとしても、同様に、凸部４３が凹部２４に嵌り込むと、凸部４３の内側壁が凹部２４の内側壁を挟み込んで、スリット２３を密閉する方向に押圧する。
【００３１】
ただし、スリット２３の形状が、中心から３方あるいは４方以上に放射状に直線が広がる形状（例えば十字形状）の場合は、スリット２３を取り囲むように凹部２４を環状の溝として設け、凹部２４もこれに対応して環状のリブとして設けることが好ましい。
また、ゴム栓２０の中央部分２１ａにスリット２３を複数形成する場合は、各スリット２３を個別に挟み込むように或は取り囲むように凹部２４を設けてもよいが、複数のスリット２３をまとめて挟み込むように或は取り囲むように凹部２４を設けてもよい。
【００３２】
なお、ゴム栓２０及び密封キャップ４０の対向面に凹凸を形成してスリット２３を閉塞する方法に締め付けるには、下で説明する実施の形態２のようにしてもよいが、本実施形態１のように、ゴム栓２０にスリット２３をはさんで凹部２４を形成し、密封キャップ４０にこの凹部２４に填まる凸部４３を形成する方が、凸部及び凹部の体積を小さく抑えることができる。すなわち、本実施形態１の方が、従来のゴム栓及び密封キャップに対して形状を少し変えるだけでよく、対向面を平坦に近くできる点で優れている。
【００３３】
（薬剤の充填及び止栓とシリンジによる薬剤採取）
容器本体１０内に、薬剤（薬液あるいは薬液の凍結真空乾燥品）を充填して、上記ゴム栓２０を嵌挿する。
凍結真空乾燥品を充填する場合は、例えば、薬液を充填した後、凍結真空乾燥機内で、ゴム栓２０を半打栓状態に保持した状態で凍結真空乾燥を行い、薬液が完全に乾燥した後にゴム栓２０を押圧して完全に嵌挿する。
【００３４】
このゴム栓２０上から固定キャップ３０を冠着し、その下端縁部３２ａをフランジ部１２ａの下側面に係合させる。ここで、固定キャップ３０が金属板からなる場合は、下端縁部３２ａをフランジ部１２ａの下側面にかしめることによって係合させる。
更に、固定キャップ３０の上から密封キャップ４０を冠着する。それと共に天板部４１を天面部２１上に押圧することによって凸部４３が凹部２４に填まり込む。
【００３５】
以上で、薬剤が充填された医療用容器１が作製される。
なお、ゴム栓２０に対する固定キャップ３０の装着と、固定キャップ３０に対する密封キャップ４０の装着との順番を入れ替えて、先に固定キャップ３０をゴム栓２０に装着してから、その固定キャップ３０上に密封キャップ４０を装着することも可能である。
次に容器１から薬剤を採取する方法について説明する。
【００３６】
薬剤が薬液の場合には、密封キャップ４０をはずして、シリンジのルアーを、スリット２３に挿入する。
図６は、シリンジ１００のルアー１０１がスリット２３に挿入された様子を示している。
ルアー１０１をスリット２３に挿入したまま、開口部１１が下側になるように医療用容器１を反転させ、容器１内の薬剤をシリンジ１００で採取する。
【００３７】
そして、シリンジ１００のルアー１０１をスリット２３から引き抜く。
一方、薬剤が凍結乾燥品の場合は、予めシリンジ内に、薬剤を溶解する液（生理食塩水）を入れておく。そして、シリンジのルアーを、スリット２３に挿入して、溶解液を注入することによって薬液にする。その後、同様にして薬液を採取し、シリンジ１００のルアー１０１をスリット２３から引き抜く。
【００３８】
〔実施の形態２〕
図７は、実施の形態２にかかる医療用容器２をスリット２３に直交する方向に切断した断面図である。
この医療用容器２は、図７に示すように、上記医療用容器１と同様の構成であるが、以下の点が異なっている。
【００３９】
上記医療用容器１においては、ゴム栓２０の中央部分２１ａに凹部２４が設けられると共に、密封キャップ４０に凸部４３が設けられ、凸部４３の内側壁４３ａが凹部２４の内側壁２４ａを押圧するよう構成されていたのに対して、医療用容器２では、ゴム栓２０の中央部分２１ａにおいて、スリット２３の近傍が天面部２１の表面から突出して凸部２５がされていると共に、密封キャップ４０における天板部４１の下面側中央部に、上記凸部２５が填まり込む凹部４４が形成されている。ここで、ゴム栓２０に設けられた凸部２５の側壁２５ａは、中央側よりも外周側の方が低い段差部に相当し、密封キャップ４０に設けられた凹部４４の側壁４４ａは、外周側よりも中央側の方が高い段差部に相当する。
【００４０】
そして、スリット２３をまたぐ凸部２５の幅と比べて、凹部４４の幅は若干狭く設定されている。
これによって、凸部２５が凹部４４に填まり込むと、凹部４４の側壁（段差部）４４ａが凸部２５の側壁（段差部）２５ａを押圧するので、実施の形態１と同様に、スリット２３は閉塞する方向に押圧されてそのシール性が向上する。
【００４１】
凸部２５及び凹部４４の形状については、上記のように凸部２５の側壁（段差部）２５ａが凹部４４の側壁４４ａを押圧できれば、特に限定されないが、凹部４４と凸部２５とを共に円形状あるいは、凹部は円形状で凸部２５は楕円形状とすることも好ましい。凸部２５が楕円形状の場合、中心からスリットの端へ向かう方向を短径とし、その垂直方向を長径とすることで、円形状の凹部に填めたときスリットの密着が強くなる。
【００４２】
また、凸部２５の径を凹部４４の径より若干大きく設定すれば、密封キャップ４０をゴム栓２０上に装着すれば、中央部分２１ａのスリット２３近傍が内方に締め付けられて、スリット２３が閉塞する方向に押圧される。また、このように、凹部４４と凸部２５とを共に円形状あるいは多角形状にすれば、密封キャップ４０をゴム栓２０上に装着する際に、凸部２５を凹部４４にのが容易に嵌め込むことができる。
【００４３】
凸部２５の突出量としては、１ｍｍ〜５ｍｍが好ましい。
また、実施の形態１で説明したように、側壁４４ａを天板部４１に対して傾斜させることも好ましい。
〔実施の形態１,２に対する変形例〕
医療用容器１,２において、固定キャップ３０を用いることなく、密封キャップ４０をゴム栓２０上に直接冠着することも可能であるが、その場合も、ゴム栓２０のスリット２３が密閉される方向に押圧されてシール性が向上する。
【００４４】
上記実施の形態１，２では、天面部２１と脚部２２とからなるゴム栓２０について説明したが、本発明は、医療用容器の開口部を封口するゴム栓であれば、特にゴム栓の形状が限定されることはなく、同様に実施することが出来る。
上記実施の形態１，２では、バイアル瓶を例にとって説明したが、この他に、バッグやボトルなど、容器本体に薬剤が充填されその開口部が医療用ゴム栓で封口される医療用容器に対して、同様に実施することができる。
【実施例１】
【００４５】
実施例として、上記実施の形態１に基づいて、容量１０ｍｌのバイアル容器を作製した。
ゴム栓２０の材料はブチルゴム（ＩＩＲ）で、天面部２１における外径は１９．１ｍｍ、中央部分２１ａの肉厚は２．７ｍｍとした。
ゴム栓２０には、内径（Ｗ２）６．７ｍｍで円環溝形状の凹部２４を形成し、密封キャップ４０には、内径（Ｗ１）６．３ｍｍで円環リブ形状の凸部４３を形成した。凸部４３の高さは１．２ｍｍとした。
【００４６】
一方、比較例として、密封キャップに凸部を形成しない以外は、実施例と同様にして、バイアル容器を作製し、実施例と比較例とで透湿性を調べる試験を行なった。
試験方法は、バイアル容器内にシリカゲルを充填し、４０℃、湿度９０％の環境下で保存して、９０日後のシリカゲルの重量変化（吸湿量）を確認した。その結果、９０日後の吸湿量について、実施例が０．８ｍｇ、比較例は１．４ｍｇであり、透湿性に対する実施例の効果が確認できた。
【産業上の利用可能性】
【００４７】
本発明は、バイアル、バッグ、ボトルなどの医療用容器並びにこれに用いるゴム栓において、ルアーを直接挿入することができ、且つシール性の良好なものを提供できる。
【図面の簡単な説明】
【００４８】
【図１】実施の形態１に係る医療用容器の斜視図である。
【図２】上記医療用容器に用いられる密封キャップの斜視図であり
【図３】上記医療用容器をスリットに直交する方向に切断した断面図である。
【図４】図３に示す密封キャップがゴム栓上に装着されたときの様子を示す図である。
【図５】ゴム栓２０に凹部を形成する形態及び密封キャップに凸部を形成する形態の一例を示す図である。
【図６】上記医療用容器において、シリンジのルアーがスリットに挿入された様子を示す図である。
【図７】実施の形態２にかかる医療用容器の要部断面図である。
【符号の説明】
【００４９】
１    医療用容器
２    医療用容器
１０    容器本体
１１    開口部
２０    ゴム栓
２１    天面部
２１ａ  中央部分
２１ｂ  外周部
２３    スリット
２４    凹部
２４ａ  内側壁
２５    凸部
２５ａ  側壁
４０    密封キャップ
４１    天板部
４２    側板部
４３    凸部
４３ａ  内側壁
４４    凹部
４４ａ  側壁
【図１】
2005074103.tif 000003
【図２】
2005074103.tif 000004
【図３】
2005074103.tif 000005
【図４】
2005074103.tif 000006
【図５】
2005074103.tif 000007
【図６】
2005074103.tif 000008
【図７】
2005074103.tif 000009